(57)【要約】【課題】氷を充填して手軽に冷却できるとともに飲料容器を浮き上がらせることのない飲料容器用保持器と冷却容器を提供すること。【解決手段】冷却容器１０は、外容器１１と保持器１２とを有し、保持器１２の周りに氷充填部１５を配置する。保持器１２には小孔１２１を多数備えた多孔部１２０を側部に形成し、上部開口側に弾性を有する容器押え部１２２を配置する。容器押え部１２２は、切り欠き部を複数有して突出する複数の突出部で飲料容器１の肩部を下方に押圧して、飲料容器内の飲料液が少なくなることによって発生する浮き上がりを防止する。飲料容器１は、氷充填部１５に充填された氷３によって冷やされた水４が多孔部１２０から保持器１２内に浸入することにより保冷される。【選択図】図１
2005087313.tif 000002
【特許請求の範囲】
【請求項１】
水と氷が充填されている冷却容器内に、収容される飲料容器を保持可能な飲料容器用保持器であって、
上部を開口する筒状に形成されるとともに、側部に水の浸入可能な孔を設け、かつ前記飲料容器の浮き上がり防止手段を備えていることを特徴とする飲料容器用保持器。
【請求項２】
前記飲料容器用保持器の下部には、前記飲料容器用保持器における浮き上がり防止用の錘が装着されていることを特徴とする請求項１記載の飲料容器用保持器。
【請求項３】
前記飲料容器の浮き上がり防止手段が、弾性を有する容器押え手段を上部開口側に備え、収容された前記飲料容器を下方に向かって押圧可能に配置して構成されていることを特徴とする請求項１記載の飲料容器用保持器。
【請求項４】
水と氷が充填されている冷却容器内に、収容される飲料容器を保持可能な飲料容器用保持器であって、
前記飲料容器は、錘を備えて形成され、
上部を開口する円筒状に形成されるとともに、側部に水の浸入可能な孔を設けて前記飲料容器を収容可能に形成されていることを特徴とする飲料容器用保持器。
【請求項５】
中央部に飲料容器を保持する保持器と、前記保持器の周りに配置される冷却材充填部とを備える冷却容器であって、
前記保持器が、上部を開口する筒状に形成されるとともに、側部に水の浸入可能な孔を設けていることを特徴とする冷却容器。
【請求項６】
前記保持器には、前記飲料容器の浮き上がり防止手段が配設されていることを特徴とする請求項５記載の冷却容器。
【発明の詳細な説明】
【技術分野】
【０００１】
本発明は飲料容器、例えば、冷酒・ビール・ワイン等のビンや缶を好適に冷却できる飲料容器用保持器及び冷却容器に関する。
【背景技術】
【０００２】
一般に、例えば、家庭内において、お酒やビール・ワイン等の飲み物を嗜む際、特に暑い季節であれば、飲み物を冷却した状態で嗜むことが望まれ、時間をかけて嗜む場合、飲料容器は次第に温まってくることから、飲料容器自体を保冷の状態にしておく必要があった。
【０００３】
従来、飲料容器を保冷できるものとしては、図１１に示すように、氷の収容部４４が形成されている冷酒用のビン又は徳利４０が提供されている。このビン又は徳利４０は、一般に販売されているものであり、上部から開口部４１、狭小部４２、膨潤部４３を有して形成され、膨潤部４３内には飲料液が貯溜される。膨潤部４３の一部には、氷３を収容する収容部４４が形成され、氷３を収容することによって、膨潤部４３に貯溜された飲料液を冷却することができる。
【０００４】
また、特許文献１には、保冷可能な容器が示されている。この容器は、容器の底部に空間を形成して、空間内に吸水性ポリマーを収容するとともに、圧力の上昇防止用の圧力逃がし弁を設けて構成している。
【０００５】
さらに、図１２に示すように、一般家庭用の容器５１に氷３を充填させてその中に飲料容器１を収容して、氷３の媒介によって飲料容器１を冷却するか、又は図１３に示すように一般家庭用の容器に氷３と水４を充填させてその中に飲料容器１を収容して、氷３と水４の媒介によって飲料容器１を冷却することもあった。
【特許文献１】特開平１０−１３７１００号公報（３〜４頁、図１参照）
【発明の開示】
【発明が解決しようとする課題】
【０００６】
しかし、図１１に示すこのタイプの徳利４０は、膨潤部４３の一部しか冷却できずに冷却効率を良好とすることができなかった。さらに、ビン又は徳利４０を傾ける際に水が垂れてくることから、使用しにくいこととなっていた。
【０００７】
また、特許文献１の容器は、吸水性ポリマーを底部に配置させていることから、容器内の飲料用液体は全体的に保冷できるものの、圧力逃し弁を必要とすることから廉価な費用で製作できなかった。
【０００８】
さらに、図１２（ａ）に示すように、氷３を充填した容器５１に飲料容器１を収容する場合、飲料容器１を、図１２（ｂ）のように、一旦、取り出すと、氷３が崩れて容器５１全体に広がって、図１２（ｃ）のように、飲料容器１を再び容器５１内に収容しようとしても、収容しにくくなっていた。
【０００９】
また、図１３（ａ）に示すように、氷３と水４が充填した容器５１に飲料容器１を収容する場合、氷３が次第に溶けて水４の比重が大きくなってくる。このときに、飲料容器１に入っている飲料体が少なくなると、図１３（ｂ）に示すように飲料容器１が浮力で浮き上がって徐々に傾き、その後、図１３（ｃ）のように水平方向に倒れて中身の液体がこぼれてしまうこととなっていた。
【課題を解決するための手段】
【００１０】
本発明は、上述の課題を解決するものであり、飲料容器を安定して収容して冷却を充分に行うことができるとともに、廉価に構成して、しかも洒落た気分を味わうことのできる飲料容器用保持器及び冷却容器を提供することを目的とするものであり、本発明の飲料容器用保持器及び冷却容器は、この目的を達成するために、以下のように構成するものである。すなわち、
請求項１記載の発明では、水と氷が充填されている冷却容器内に、収容される飲料容器を保持可能な飲料容器用保持器であって、
上部を開口する筒状に形成されるとともに、側部に水の浸入可能な孔を設け、かつ前記飲料容器の浮き上がり防止手段を備えていることを特徴とするものである。
【００１１】
請求項２記載の発明では、前記飲料容器用保持器の下部には、前記飲料容器用保持器における浮き上がり防止用の錘が装着されていることを特徴としている。
【００１２】
請求項３記載の発明では、前記飲料容器の浮き上がり防止手段が、弾性を有する容器押え手段を上部開口側に備え、収容された前記飲料容器を下方に向かって押圧可能に配置して構成されていることを特徴としている。
【００１３】
請求項４記載の発明では、水と氷が充填されている冷却容器内に、収容される飲料容器を保持可能な飲料容器用保持器であって、
前記飲料容器は、錘を備えて形成され、
上部を開口する円筒状に形成されるとともに、側部に水の浸入可能な孔を設けて前記飲料容器を収容可能に形成されていることを特徴とするものである。
【００１４】
請求項５記載の発明では、中央部に飲料容器を保持する保持器と、前記保持器の周りに配置される冷却材充填部とを備える冷却容器であって、
前記保持器が、上部を開口する筒状に形成されるとともに、側部に水の浸入可能な孔を設けていることを特徴とするものである。
【００１５】
請求項６記載の発明では、前記保持器には、前記飲料容器の浮き上がり防止手段が配設されていることを特徴としている。
【発明の効果】
【００１６】
請求項１記載の発明によれば、飲料容器内の飲料液を飲みたいときには、保持器に収容されている飲料容器を保持器の上方から取り出す。冷却容器内には、保持器の周りに氷が充填されていて、保持器の側部に形成された孔部から、氷で冷やされた水が保持器内に浸入して飲料容器を冷却している。飲料容器を保持器から取り出しても、氷は保持器によって隔てられていることから保持器内に浸入することがなく飲料容器の出入には妨げにならない。従って、取り出した飲料容器を再び保持器内に収容する際には、保持器内には氷がないことから、楽に収容することができ、氷で冷やされた水で再び保冷される。
【００１７】
また、保持器内には冷却媒体としての水が充填されていて、保持器内に収容した飲料容器の飲料液の量が少なくなっても、保持器の設けた浮き上がり防止手段によって飲料容器を下方に押圧していることから、飲料容器が浮力で浮き上がることがない。従って、飲料容器は保持器内で安定して保冷し続けることができる。しかも氷が少なくなれば氷を補充するだけであるから、いつでも冷えた飲料液を嗜むことができる。
【００１８】
請求項２記載の発明では、飲料容器を収容している際には、飲料容器には飲料液が含まれることから、保持器は重量で支持されて倒れることがなく飲料容器を保持している。飲料容器を保持器から取り出しても、保持器の下部には錘が装着されていることから、保持器は倒れることなく、飲料容器の再収容を可能としている。
【００１９】
請求項３記載の発明では、請求項１記載の浮き上がり防止手段が、飲料容器を押圧する容器押え手段を保持器の上部開口側に設けていることから、飲料容器を下方に押圧することとなって、重量の軽くなった飲料容器を浮力で浮き上がらせることがない。飲料容器が浮力で浮き上がることによって中身の飲料液のこぼれを生じることになるから、浮力の防止を図る必要があった。従って、飲料容器を保持器内で安定して保冷し続けることができる。
【００２０】
請求項４記載の発明では、請求項１の発明と同様、冷却容器内には、保持器の周りに氷が充填されていて、保持器の側部に形成された孔部から、氷で冷やされた水が保持器内に浸入して飲料容器を冷却している。飲料容器を保持器から取り出しても、氷は保持器によって隔てられていることから保持器内に浸入することがなく飲料容器の出入には妨げにならない。従って、取り出した飲料容器を再び保持器内に収容する際には、保持器内には氷がないことから、楽に収容することができ、氷で冷やされた水で再び保冷される。
【００２１】
この際、保持器内に収容されている飲料容器には下部に錘が装着されていることから、保持器内に飲料容器の浮き上がり防止手段を設けていなくても、飲料容器は安定した状態で保持器内に収容されることとなって、保冷されることとなる。なお、飲料容器の下部には錘を装着するだけでなく、例えば、装飾品を同時に装着すれば洒落た気分を味わうことができ、さらに楽しむことができる。
【００２２】
請求項５記載の発明によれば、この発明は、飲料容器用の保持器を備えた冷却容器であって、保持器は、冷却容器の中央部に冷却容器と一体的に形成されている。保持器の周りに配設された冷却剤充填部には氷が収容されていて、氷は保持器内に入ることなく、保持器に形成された孔から、氷によって冷やされた水が浸入することとなる。従って、保持器の上部開口部から収容された飲料容器は、氷及び氷の水で冷却されることとなる。しかも、保持器には氷が入らないことから、飲料容器の保持器からの出入を極めて容易に行うことができる。
【００２３】
請求項６記載の発明によれば、請求項５記載の冷却容器には、保持器に収容される飲料容器の、浮き上がり防止手段を保持器に設けていることから、飲料容器内の飲料液の量が少なくなって、飲料容器が浮力で浮き上がることになっても、飲料容器を保持器内で保持することができ、安定して冷却を保持することができる。
【発明を実施するための最良の形態】
【００２４】
実施形態の飲料容器用保持器は、冷却容器内に配置され飲料容器を保持するとともに氷に冷やされた水を保持器内に浸入させることによって飲料容器を保冷可能に形成するものである。
【実施例１】
【００２５】
図１は、基本パターンの冷却容器１０であり、氷を収容可能な外容器１１と、外容器１１内に装着する飲料容器用保持器（以下、単に保持器という）１２と、保持器１２の周りに配置する氷充填部１５を備えている。
【００２６】
外容器１１は、下部に底壁部１１１を有して上部を開口する円筒状に形成され、冷酒用の飲料容器（以下、ビンという）１を収容するために、ビン１の肩の高さ程度の深さを有している。そして、保持器１２を中央部に配置させてその周りに氷３を充填するための氷充填部１５を有する程度の大きさに形成する。この外容器１１は、一般家庭内で使用されているものであってもよく、また、保持器１２とセットにして、和風・洋風あるいはフォーマル・カジュアルなものとして新たに製作するようにしてもよい。なお、保持器１２は、円筒状でなく角筒状であってもよい。
【００２７】
保持器１２は、側部に多数の小孔１２１を備える多孔部１２０を有して水４を浸入可能に形成する。小孔１２１は、もちろん、家庭用の冷蔵庫で形成される個々の氷を通すことのできない程度の大きさに形成されている。保持器１２は、樹脂製の材料で形成するとともに、図２に示すように、上部開口側に弾力性を有する容器押え部１２２を形成する。容器押え部１２２は、ビン１を出入させやすいように、円周方向に沿って複数の切り欠き部１２２ａを有し、切り欠き部１２２ａ以外の突出部１２２ｂで、ビン１の肩を下方に押圧できるように形成する。これによってビン１の浮き上がり防止をすることができる。なお、なお、容器押え部１２２を弾力性を有するゴム製の材料で形成してもよい。
【００２８】
さらに、保持器１２の下部には底壁部１２４を形成する。底壁部１２４は、保持器１２が外容器１１に対して浮き上がるか倒れないようするために、厚く形成して錘としての役目をする。これによって、保持器１２自体の浮き上がり防止を図ることができる。なお、保持器１２の底壁部１２４は外容器１１に例えば吸盤等で固定させたり、保持器１２の底壁部１２４と外容器１１の底壁部１１１との間にいずれかに雄ねじ・雌ねじを形成したりして相互に螺合可能に構成してもよい。
【００２９】
別の形態の保持器は、図３に示すように、側部全周に渡って金網で形成された網目部１２３を有して上部を開口する円筒状に形成した保持器１２Ａでもよい。網目部１２３は、家庭用の冷蔵庫で製造された個々の氷を通すことのできない程度の大きさの網目を有して形成されている。さらに、下部にはビン１を支持する底壁部１２４を有して形成する。なお、網目部１２３の下部を冷却容器１０の底壁部１１１に係止できるように形成すれば、底壁部１２４はなくてもよい。
【００３０】
また、図３における金網状に形成された保持器１２Ａの容器押え部は弾力性を有する２本の紐部材１２５であってもよい。２本の紐部材１２５は、保持器１２Ａ内に収容したビン１の口部を跨ぐように配置して、ビン１の肩部を下方に押圧する。
【００３１】
また、図４に示す別の形態の保持器１２Ｂは、網状に形成した側部１２３の上部開口部に、図２に示すような切り欠き部１２２ａと突出部１２２ｂとを備える容器押え部１２２を備えて形成している。
【００３２】
さらに、図５に示すように、錘部１ａを備えたビン１Ａを収容する保持器１２Ｃでは、図６に示すように、浮き上がり防止用としての容器押え部を配置していない。つまり、保持器１２Ｃは、錘部１ａの分だけ長く形成したビン１Ａを収容するために、高さを高く形成した網目部１２３Ａを有し、上部を開口している。
【００３３】
なお、錘部１ａに装飾品を挿入すれば、ファッション性を有することとなって優雅な気分を味わうことができる。
【００３４】
上記のように形成された冷却容器１０では、保持器１２の周りの氷充填部１５に氷３を充填させるとともに水４を充填する。保持器１２内にビン１を収容することによって、ビン１は氷３で冷やされて保持器１２の多孔部１２０、あるいは網目部１２３から浸入する水４で冷却される。ビン１が、冷酒用のあるいはビール瓶であれば、底壁部に錘を装着していないことから、保持器１２は、切り欠き部１２２ａ・突出部１２２ｂを備える容器押え部１２２、あるいは、紐状部材１２５を有することとなって、ビン１を保持器１２の下方に押圧している。
【００３５】
この状態で、ビン１を取り出して、飲料液をコップに注ぎ、再びビン１を保持器１２内に収容する。この間保持器１２内には水４は浸入しても氷３は浸入しない。従って、ビン１の保持器１２内の出入は、何等邪魔するものはなくスムーズに行える。しかも、ビン１を取り出しても、保持器１２には底壁部１２４が錘、又は吸盤等で固定されていることから、ビン１と一緒に取り出されることはない。
【００３６】
上記のように、実施例１の保持器１２は、内部に飲料容器１を収容可能にして、収容した飲料容器１に氷３で冷やされた水４を側部に形成した多孔部１２０、又は金網状の網目部１２３から浸入させてように形成することから、飲料容器１は冷却されて、中身の飲料液を冷えた状態で飲むことができる。しかも、飲料容器１内の飲料液が少なくなっても、保持器１２に装着した容器押さえ部１２２、又は紐部材１２５によって、飲料容器１を下方に押圧していることから、飲料容器１自体を浮力によって浮き上がらせることがなく、常に安定して飲料容器１を保冷することができる。
【実施例２】
【００３７】
図７〜８は、外容器２１と保持器２２とを一体的に形成した冷却容器２０を示すものである。保持器２２の周りには、氷充填部２５が形成され、氷３と水４が充填される。保持器２２は上部を開口した円筒状に形成され側部には小孔２２１を多数配置した多孔部２２０を形成している。保持器２２の内部は１本のビン又は徳利１が入る程度の大きさを有して形成されている。従って、保持器２２の周りに氷３を充填すれば、保持器２２の小孔２２１から浸入した水４でビン又は徳利１を保冷することができる。この場合でも、ビン又は徳利１の浮き上がり防止のために、容器押え部としての２本の紐部材２２５でビン又は徳利１を下方に押圧している。容器押え部としては２本の紐部材の代わりに、図２に示すような容器押え部１２２で形成してもよい。
【００３８】
なお、雰囲気を向上するために、氷重点部２５に装飾品を単に添えるか、又は装飾品用の装着孔を形成して装飾品を氷とともに装着すれば、来客中に、飲料容器を収容した冷却容器２０を差し出すことによって、洒落た気分を味わうことができる。
【００３９】
また、宴会用であれば、図９〜１０に示すように、複数のビン又は徳利１を収容できる冷却容器３０を形成する。冷却容器３０は、一方の方向が縦長の外容器３１と、外容器３１内に収容される保持器３２とを備える。保持器３２は、外容器３１に沿って一方の方向に縦長に形成され、全周の側部には小孔３２１を多数配置して多孔部３２０を形成している。そして、長手方向に沿って、２本で一組の紐部材３２５が、複数組配置されている。２本一組の紐部材３２５は、弾性を有して２本の紐部材３２５・３２５間に収容されるビン又は徳利１を下方に押圧している。これによって、それぞれのビン又は徳利１が浮力で浮き上がることのないように構成している。
【００４０】
この形態においても、装飾品を飾るように外容器内に装着孔を形成すれば、前述の形態と同様、洒落た気分を味わうことができる。
【００４１】
なお、本発明の冷却容器は、それぞれの容器に合わせて、専用に形成することができる。例えば、容器がコップであれば、小型の冷却容器に形成し、例えば、容器がビール瓶であれば、上方に向かって縦長の冷却容器にすればよい。いずれの場合においても、外容器内に飲料容器を収容する保持器を配置させ、保持器の周りに氷重点部を形成するとともに、保持器の側部に多孔部を形成することによって、氷を浸入させずに氷で冷やされた水を保持器内に浸入させて、保持器内への出入を容易にさせて、しかも冷却効果を向上できるようにする。
【００４２】
また、飲料容器は、冷酒用のビンや徳利だけでなく、ビール瓶や、缶又はワイン、洋酒のボトル、あるいはジュースのビンや缶等であってもよい。
【図面の簡単な説明】
【００４３】
【図１】本発明の一形態による冷却容器を示す断面図である。
【図２】図１における保持器の一形態を示す斜視図である。
【図３】別の形態の保持器を示す斜視図である。
【図４】別の形態の容器押え部を有する保持器を示す斜視図である。
【図５】錘を有する飲料容器を示す斜視図である。
【図６】図５の飲料容器を収容する保持器を示す斜視図である。
【図７】保持器を一体的に形成した冷却容器を示す斜視図である。
【図８】図７における冷却容器を示す縦断面図である。
【図９】複数の飲料容器を収容できる冷却装置を示す斜視図である。
【図１０】図９における冷却容器の保持器を示す斜視図である。
【図１１】従来の市販されている飲料容器を示す正面図である。
【図１２】氷を充填させた従来の冷却容器で飲料容器を冷却する状態を示す作用図である。
【図１３】氷と水を充填させた従来の冷却容器で飲料容器を冷却する状態を示す作用図である。
【符号の説明】
【００４４】
１  飲料容器
３  氷
４  水
１０  冷却容器
１１  外容器
１２  保持器
１２０  多孔部
１２１  小孔
１２２  容器押え部
１２３  側部
１２４  底壁部
１２５  紐部材
【図１】
2005087313.tif 000003
【図２】
2005087313.tif 000004
【図３】
2005087313.tif 000005
【図４】
2005087313.tif 000006
【図５】
2005087313.tif 000007
【図６】
2005087313.tif 000008
【図７】
2005087313.tif 000009
【図８】
2005087313.tif 000010
【図９】
2005087313.tif 000011
【図１０】
2005087313.tif 000012
【図１１】
2005087313.tif 000013
【図１２】
2005087313.tif 000014
【図１３】
2005087313.tif 000015